(57)【要約】【課題】測定対象のアップリンク信号以外のアップリンクやダウンリンクの信号による干渉があっても測定対象のアップリンク信号を測定することができる移動端末試験装置を提供すること。【解決手段】移動体通信端末２との間で無線信号を送受信する無線ポートを介して移動体通信端末２にダウンリンク信号を送信するとともに、無線ポートを通る信号から局部発振周波数と中間周波数とによりアップリンク信号を抽出する無線信号処理部１０と、無線信号処理部１０が抽出した受信信号を測定する無線信号測定部１３と、測定対象のアップリンク信号以外のアップリンク信号及びダウンリンク信号の周波数及び周波数帯域幅に基づいて測定対象のアップリンク信号の測定に必要な測定帯域に対する干渉が発生するか否かを判定し、測定帯域に対する干渉が避けられない場合、局部発振周波数を変更させて信号の干渉状態を変化させて測定を行なわせる制御部１５と、を備える。【選択図】図１
2018201068.tif 000002
【特許請求の範囲】
【請求項１】
移動体通信端末（２）との間で無線信号を送受信する無線ポートを有し、キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして前記移動体通信端末と呼接続を行なってキャリアアグリゲーションの試験を行なう移動端末試験装置（１）であって、
前記無線ポートを介して前記移動体通信端末にダウンリンク信号を送信するとともに、前記無線ポートを通る信号から局部発振周波数と中間周波数とによりアップリンク信号を抽出する無線信号処理部（１０）と、
前記無線信号処理部が抽出した受信信号を測定する無線信号測定部（１３）と、
測定対象のアップリンク信号以外のアップリンク信号及びダウンリンク信号の周波数及び周波数帯域幅に基づいて前記測定対象のアップリンク信号の測定に必要な測定帯域に対する干渉が発生するか否かを判定し、前記測定帯域に対する干渉が避けられない場合、前記局部発振周波数を変更させて信号の干渉状態を変化させて測定を行なわせる制御部（１５）と、
を備える移動端末試験装置。
【請求項２】
前記制御部は、前記測定帯域が前記測定対象のアップリンク信号の周波数帯域幅より広い場合、干渉の状態に応じて前記測定帯域を分割し、前記局部発振周波数を変更させて信号の干渉状態を変化させて分割した帯域毎に測定を行なわせる請求項１に記載の移動端末試験装置。
【請求項３】
前記制御部は、干渉信号の周波数帯域幅と、前記測定対象のアップリンク信号の周波数帯域幅と、前記測定帯域の周波数帯域幅に基づいて、前記局部発振周波数の変更量を算出する請求項１または請求項２に記載の移動端末試験装置。
【請求項４】
移動体通信端末（２）との間で無線信号を送受信する無線ポートを有し、キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして前記移動体通信端末と呼接続を行なってキャリアアグリゲーションの試験を行なう移動端末試験装置（１）が実行するアップリンク信号測定方法であって、
測定対象のアップリンク信号以外のアップリンク信号及びダウンリンク信号の周波数及び周波数帯域幅に基づいて前記測定対象のアップリンク信号の測定に必要な測定帯域に対する干渉が発生するか否かを判定するステップと、
前記測定帯域に対する干渉が避けられない場合、前記測定対象のアップリンク信号を抽出するための局部発振周波数を変更して信号の干渉状態を変化させて測定を行なうステップと、を備える移動端末試験装置のアップリンク信号測定方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００５】
３ＧＰＰ  Ｒｅｌｅａｓｅ１０以降の規格では、アップリンク（移動体通信端末から基地局に向かうリンク）についてもキャリアアグリゲーション技術を適用するようになっている。
【０００６】
特許文献１には、アップリンクのキャリアアグリゲーションの試験を行なうことができるようにした試験装置が記載されている。
【先行技術文献】
【特許文献】
【０００７】
【特許文献１】特開２０１７−６９９０５号公報
【発明の概要】
【発明が解決しようとする課題】
【０００８】
このようなアップリンクのキャリアアグリゲーションの試験を行なう移動端末試験装置において、アップリンクとダウンリンクの両方の信号が送受信されている状態での試験では、アップリンクの信号の測定に使用する周波数帯域に、測定対象のアップリンク信号以外のアップリンクやダウンリンクの信号による干渉が発生する問題がある。
【０００９】
さらに、ＬＴＥにおいては、キャリアアグリゲーションを可能とする周波数バンドの組み合わせが増加し続けており、測定対象のアップリンク信号以外のアップリンクやダウンリンクの信号による干渉が頻発するようになっている。
【００１０】
そこで、本発明は、測定対象のアップリンク信号以外のアップリンクやダウンリンクの信号による干渉があっても測定対象のアップリンク信号を測定することができる移動端末試験装置を提供することを目的としている。
【課題を解決するための手段】
【００１１】
本発明の移動端末試験装置は、移動体通信端末との間で無線信号を送受信する無線ポートを有し、キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして前記移動体通信端末と呼接続を行なってキャリアアグリゲーションの試験を行なう移動端末試験装置であって、前記無線ポートを介して前記移動体通信端末にダウンリンク信号を送信するとともに、前記無線ポートを通る信号から局部発振周波数と中間周波数とによりアップリンク信号を抽出する無線信号処理部と、前記無線信号処理部が抽出した受信信号を測定する無線信号測定部と、測定対象のアップリンク信号以外のアップリンク信号及びダウンリンク信号の周波数及び周波数帯域幅に基づいて前記測定対象のアップリンク信号の測定に必要な測定帯域に対する干渉が発生するか否かを判定し、前記測定帯域に対する干渉が避けられない場合、前記局部発振周波数を変更させて信号の干渉状態を変化させて測定を行なわせる制御部と、を備えるものである。
【００１２】
この構成により、測定帯域に対する干渉が避けられない場合、局部発振周波数が変更されて信号の干渉状態が変えられて測定が行なわれる。このため、測定対象のアップリンク信号以外のアップリンクやダウンリンクの信号による干渉があっても測定対象のアップリンク信号を測定することができる。
【００１３】
また、本発明の移動端末試験装置において、前記制御部は、前記測定帯域が前記測定対象のアップリンク信号の周波数帯域幅より広い場合、干渉の状態に応じて前記測定帯域を分割し、前記局部発振周波数を変更させて信号の干渉状態を変化させて分割した帯域毎に測定を行なわせるものである。
【００１４】
この構成により、測定帯域が測定対象のアップリンク信号の周波数帯域幅より広い場合、干渉の状態に応じて測定帯域が分割され、分割された帯域毎に測定が行なわれる。このため、測定対象のアップリンク信号以外のアップリンクやダウンリンクの信号による干渉があっても測定対象のアップリンク信号を測定することができる。
【００１５】
また、本発明の移動端末試験装置において、前記制御部は、干渉信号の周波数帯域幅と、前記測定対象のアップリンク信号の周波数帯域幅と、前記測定帯域の周波数帯域幅に基づいて、前記局部発振周波数の変更量を算出するものである。
【００１６】
この構成により、干渉信号の周波数帯域幅と、測定対象のアップリンク信号の周波数帯域幅と、測定帯域の周波数帯域幅に基づいて、局部発振周波数の変更量が算出される。このため、干渉信号を除去しつつ測定帯域を測定可能な局部発振周波数の変更量が算出され、干渉信号を除去しつつ測定対象のアップリンク信号を測定することができる。
【００１７】
また、本発明の移動端末試験装置のアップリンク信号測定方法は、移動体通信端末との間で無線信号を送受信する無線ポートを有し、キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして前記移動体通信端末と呼接続を行なってキャリアアグリゲーションの試験を行なう移動端末試験装置のアップリンク信号測定方法であって、測定対象のアップリンク信号以外のアップリンク信号及びダウンリンク信号の周波数及び周波数帯域幅に基づいて前記測定対象のアップリンク信号の測定に必要な測定帯域に対する干渉が発生するか否かを判定するステップと、前記測定帯域に対する干渉が避けられない場合、前記測定対象のアップリンク信号を抽出するための局部発振周波数を変更して信号の干渉状態を変化させて測定を行なうステップと、を備えるものである。
【００１８】
この構成により、測定帯域に対する干渉が避けられない場合、局部発振周波数が変更されて信号の干渉状態を変化させて測定が行なわれる。このため、測定対象のアップリンク信号以外のアップリンクやダウンリンクの信号による干渉があっても測定対象のアップリンク信号を測定することができる。
【発明の効果】
【００１９】
本発明は、測定対象のアップリンク信号以外のアップリンクやダウンリンクの信号による干渉があっても測定対象のアップリンク信号を測定することができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置の干渉信号の探索範囲を示す図である。
【図３】図３は、本発明の一実施形態に係る移動端末試験装置のスペクトラム測定時の周波数帯域幅ごとの干渉信号の探索範囲を示す図である。
【図４】図４は、本発明の一実施形態に係る移動端末試験装置のインバンド測定時の周波数帯域幅ごとの干渉信号の探索範囲を示す図である。
【図５】図５は、本発明の一実施形態に係る移動端末試験装置のスペクトラム測定の場合の干渉信号が被測定信号の周波数帯域に存在しない状態を示す図である。
【図６】図６は、本発明の一実施形態に係る移動端末試験装置の図５の状態からLO周波数を変更した状態を示す図である。
【図７】図７は、本発明の一実施形態に係る移動端末試験装置のスペクトラム測定の場合の干渉信号の帯域幅が被測定信号の帯域幅より大きく、干渉信号が被測定信号の周波数帯域に存在しない状態を示す図である。
【図８】図８は、本発明の一実施形態に係る移動端末試験装置の図７の状態よりLO周波数の変更量を多くした場合を示す図である。
【図９】図９は、本発明の一実施形態に係る移動端末試験装置のスペクトラム測定の場合の干渉信号が被測定信号の周波数帯域に存在する状態を示す図である。
【図１０】図１０は、本発明の一実施形態に係る移動端末試験装置の図９の状態から１回目のLO周波数を変更した状態を示す図である。
【図１１】図１１は、本発明の一実施形態に係る移動端末試験装置の図９の状態から２回目のLO周波数を変更した状態を示す図である。
【図１２】図１２は、本発明の一実施形態に係る移動端末試験装置のスペクトラム測定の場合の干渉信号の帯域幅が被測定信号の帯域幅より大きく、干渉信号が被測定信号の周波数帯域に存在する状態を示す図である。
【図１３】図１３は、本発明の一実施形態に係る移動端末試験装置の図１２の状態から１回目のLO周波数を変更した状態を示す図である。
【図１４】図１４は、本発明の一実施形態に係る移動端末試験装置の図１２の状態から２回目のLO周波数を変更した状態を示す図である。
【図１５】図１５は、本発明の一実施形態に係る移動端末試験装置の図１２の状態から３回目のLO周波数を変更した状態を示す図である。
【図１６】図１６は、本発明の一実施形態に係る移動端末試験装置のインバンド測定の場合の干渉信号が被測定信号の周波数帯域に存在する状態を示す図である。
【図１７】図１７は、本発明の一実施形態に係る移動端末試験装置の図１６の状態からLO周波数を変更した状態を示す図である。
【発明を実施するための形態】
【００２１】
以下、図面を参照して、本発明の実施形態に係る移動端末試験装置について詳細に説明する。
【００２２】
図１において、本発明の一実施形態に係る移動端末試験装置１は、擬似基地局として同軸ケーブル等を介して有線で移動体通信端末２と無線信号を送受信するようになっている。移動端末試験装置１は、ＬＴＥ−Ａの規格に対応しており、アップリンクにおいてもキャリアアグリゲーション技術により移動体通信端末２との間で通信できるようになっている。
【００２３】
移動端末試験装置１は、無線信号処理部１０と、無線ハードウェア制御部１１と、コールプロセッシング部１２と、無線信号測定部１３と、ユーザインターフェース部１４と、制御部１５とを含んで構成されている。
【００２４】
無線信号処理部１０は、移動体通信端末２との間で無線信号を送受信するものである。無線信号処理部１０は、移動体通信端末２との間で無線信号を送受信する無線ポートを１つ有している。無線信号処理部１０は、１つの無線ポートに送信信号を送信し、１つの無線ポートの信号から受信信号を抽出する。
【００２５】
無線信号処理部１０は、コールプロセッシング部１２の送信データを、符号化や、変調、周波数変換などして無線信号を生成して送信する。また、無線信号処理部１０は、移動体通信端末２から受信した無線信号を、周波数変換や、復調、復号などしてコールプロセッシング部１２及び無線信号測定部１３に出力する。
【００２６】
無線ハードウェア制御部１１は、無線信号処理部１０を制御して、無線信号の送受信レベルや周波数などを制御するものである。
【００２７】
コールプロセッシング部１２は、無線信号処理部１０及び無線ハードウェア制御部１１と接続され、試験条件に応じて設定された周波数や多重化方式などのコンポーネントキャリアのパラメータに従って無線ハードウェア制御部１１に設定信号を送信して、無線信号処理部１０に試験条件に適合した無線信号を送信させる。また、コールプロセッシング部１２は、無線信号処理部１０を介して、移動体通信端末２との間で無線信号を送受信して、コンポーネントキャリアとしての試験条件に適合した呼接続を移動体通信端末２との間で行なったり、試験条件に対応したコンポーネントキャリアとしての呼制御を行なったりするものである。また、コールプロセッシング部１２は、設定された多重化方式などのパラメータに従って無線信号処理部１０に設定信号を送信して、無線信号処理部１０に試験条件に適合した無線信号を送信させる。
【００２８】
無線信号測定部１３は、無線信号処理部１０と接続され、無線信号処理部１０の送受信する無線信号の送受信レベルやスループットなどを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、ログとしてファイルに出力したりするようになっている。
【００２９】
ユーザインターフェース部１４は、ユーザからの操作入力を受け付ける入力部１４１と、ＣＣのパラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００３０】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３１】
このコンピュータユニットのＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３２】
制御部１５の入出力ポートには、無線ハードウェア制御部１１、コールプロセッシング部１２、無線信号測定部１３、ユーザインターフェース部１４が接続されている。
【００３３】
なお、本実施形態において、無線ハードウェア制御部１１、コールプロセッシング部１２、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３４】
制御部１５は、表示部１４２に表示させたパラメータ設定画面に従って入力部１４１による入力操作により設定されたパラメータに基づいて、無線ハードウェア制御部１１に設定信号を送信して無線信号処理部１０が送受信する無線信号の周波数や多重化方式を制御して、無線信号測定部１３に測定を行なわせる。また、制御部１５は、設定されたパラメータをコールプロセッシング部１２に通知して、設定されたパラメータに適合したコンポーネントキャリアの通信を確立させる。
【００３５】
また、制御部１５は、入力部１４１に入力された指示に従って、無線ハードウェア制御部１１及びコールプロセッシング部１２に信号を送信して、試験用の呼制御などを行なわせるようになっている。
【００３６】
このような移動端末試験装置１において、アップリンク信号の試験を行なう場合、測定対象となる周波数に局部発振器（Local Oscillator）の周波数（局部発振周波数、以下、「LO周波数」という）を合わせ、中間周波数（Intermediate Frequency：以下、「IF周波数」という）に周波数変換して測定を行なう。
【００３７】
測定対象となる周波数は、LO周波数の高い側と低い側のどちらかが選択できる。本実施形態では、IF周波数が１００[MHz]の場合を示す。IF周波数が他の周波数でも良いし、複数のIF周波数で測定できるようにしてもよい。
【００３８】
制御部１５は、入力部１４１による入力操作により設定されたアップリンク信号のパラメータに基づいて、測定に使用する周波数帯域（以下、「測定帯域」ともいう）を決定する。測定に使用する周波数帯域は、周波数帯域幅（Channel Band Width）や測定項目等によって決定される。
【００３９】
本実施形態の移動端末試験装置１においては、１つの無線ポートにアップリンク信号とダウンリンク信号が送受信されるため、アップリンク信号の測定帯域に測定対象のアップリンク信号以外のアップリンクやダウンリンクの信号による干渉が発生する場合がある。このため、制御部１５は、アップリンク信号の試験を行なう場合、測定帯域に測定対象のアップリンク信号以外のアップリンクやダウンリンクの信号による干渉が発生しないかを判定する。
【００４０】
制御部１５は、図２に示すような「Search Area」の列で示されている周波数の範囲に測定対象のアップリンク信号以外のアップリンクやダウンリンクの信号があるか否かにより、干渉が発生するか否かを判定する。測定対象のアップリンク信号以外のアップリンクやダウンリンクの信号の有無は、各コンポーネントキャリアのパラメータとして設定された周波数や周波数帯域幅によって判定される。
【００４１】
図２は、測定対象周波数ｆULとIF周波数の関係と、測定範囲を示す図である。図２において、ｆLOはLO周波数であり、「Search Area」の列で示されている探索帯域Δｆは、測定対象の信号以外の信号があるか否かを判定する範囲である。
【００４２】
なお、「Interference Flag」の列の「IF100 Lower LO Flag」は、LO周波数が測定対象周波数ｆULよりも低い設定であり、「IF100 Upper LO Flag」は、LO周波数が測定対象周波数ｆULよりも高い設定である。
【００４３】
探索帯域Δｆは、測定対象である被測定信号の周波数帯域幅や測定項目によって変更する。図３は、測定項目が、スペクトルエミッションマスク（Spectrum Emission Mask：SEM）、隣接チャンネル漏れ電力比（Adjacent Channel Leakage Power Ratio：ACLR）、占有帯域幅（Occupied Bandwidth：OBW）などのスペクトラム測定の場合の、被測定信号の周波数帯域幅ごとのスペクトラム探索帯域ΔｆSを示している。
【００４４】
図４は、測定項目が、パワー、変調性能（Modulation）などのインバンド測定の場合の、被測定信号の周波数帯域幅ごとのインバンド探索帯域ΔｆIを示している。
【００４５】
制御部１５は、図２で示した、「IF100 Lower LO Flag」の場合と、「IF100 Upper LO Flag」の場合とで被測定信号以外の信号で干渉が発生するか否かを判定する。制御部１５は、「IF100 Lower LO Flag」か「IF100 Upper LO Flag」で干渉が発生しない設定があれば、その設定で測定を行なわせる。
【００４６】
制御部１５は、「IF100 Lower LO Flag」か「IF100 Upper LO Flag」で干渉が発生しない設定が無い場合は、干渉が発生している状態により被測定信号の周波数帯域幅を分割して測定を行なう。制御部１５は、LO周波数（測定対象周波数ｆUL）を変更して信号の干渉状態を変化させて干渉の発生していない部分のみの測定を行なわせる。
【００４７】
図５は、スペクトラム測定の場合の周波数分割の例を示す図である。図５では、被測定信号Ａより高い周波数側に干渉信号Ｂが存在する。図５に示すように、干渉信号Ｂが被測定信号Ａの周波数帯域に存在せず、スペクトラム探索帯域ΔｆS内に存在する場合、制御部１５は、LO周波数を１回変更させ測定を行なわせる。
【００４８】
まず、図５に示した状態で、制御部１５は、「測定に使用する範囲」で示された周波数帯域の測定を行なわせる。すなわち、干渉信号Ｂが存在する側の被測定信号Ａの端から、干渉信号Ｂが存在しない側のスペクトラム測定に必要な帯域の端までを測定範囲とする。
【００４９】
その後、制御部１５は、干渉信号Ｂに向かう側（この場合、高周波側）に図３で示したスペクトラム探索帯域ΔｆSだけLO周波数を変更させて周波数変換させる。すると、図６に示すように、干渉信号Ｂは、LO周波数の変更量の２倍以上ずれる。制御部１５は、干渉信号Ｂが存在していた側の被試験信号Ａの端から、干渉信号Ｂが存在していた側のスペクトラム測定に必要な帯域の端までに干渉信号が存在していないか判定する。この場合、制御部１５は、測定対象周波数ｆUL＋被測定信号Ａの周波数帯域幅/2から測定対象周波数ｆUL＋スペクトラム探索帯域ΔｆSの範囲に干渉信号が存在していないか判定する。干渉信号が存在していない場合、制御部１５は、「測定に使用する範囲」で示された、干渉信号Ｂが存在していた側の被測定信号Ａの端から、干渉信号Ｂが存在していた側のスペクトラム測定に必要な帯域の端までの測定を行なわせる。
【００５０】
図７は、スペクトラム測定の場合の干渉信号Ｂの周波数帯域幅が被測定信号Ａの周波数帯域幅より大きい場合を示している。このような場合も、制御部１５は、上述の図５の場合と同様に、干渉信号Ｂのある側とない側に分けて測定を行なわせる。しかしながら、干渉信号Ｂの帯域幅が大きいため、LO周波数をスペクトラム探索帯域ΔｆSだけ変更して周波数変換しても、図７に示すように、干渉信号Ｂ'が被測定信号Ａ'よりはみ出てしまい、測定に使用する範囲に干渉信号Ｂ'が残ってしまう。
【００５１】
このため、制御部１５は、被測定信号Ａの周波数帯域幅と、干渉信号Ｂの周波数帯域幅との差の半分だけ多くLO周波数を変更させる。すなわち、制御部１５は、干渉信号Ｂに向かう側（この場合、高周波側）に図３で示したスペクトラム探索帯域ΔｆS＋（(干渉信号Ｂの周波数帯域幅−被測定信号Ａの周波数帯域幅)/2）だけLO周波数を変更させて周波数変換させる。すると、図８に示すように、干渉信号Ｂ'は、LO周波数の変更量の２倍以上ずれる。制御部１５は、干渉信号Ｂが存在していた側の被試験信号Ａの端から、干渉信号Ｂが存在していた側のスペクトラム測定に必要な帯域の端までに干渉信号が存在していないか判定する。この場合、制御部１５は、測定対象周波数ｆUL＋被測定信号の周波数帯域幅/2から元の測定対象周波数ｆUL＋スペクトラム探索帯域ΔｆSの範囲に干渉信号が存在していないか判定する。干渉信号が存在していない場合、制御部１５は、干渉信号Ｂが存在していた側の被測定信号Ａ'の端から、干渉信号Ｂが存在していた側のスペクトラム測定に必要な帯域の端までの測定を行なわせる。
【００５２】
図９に示すように、スペクトラム測定の場合の干渉信号Ｂが被測定信号Ａの周波数帯域に存在する場合、制御部１５は、干渉を受けていない側、被測定信号Ａ、干渉を受けている側の３回に分けて測定を行なわせる。
【００５３】
まず、制御部１５は、図９の「１回目」で示している、干渉を受けていない側の被測定信号Ａの端から、干渉信号Ｂがない側のスペクトラム測定に必要な帯域の端までの測定を行なわせる。
【００５４】
次に、制御部１５は、干渉信号Ｂがある側とは反対側に図４で示したインバンド探索帯域ΔｆIだけLO周波数を変更させて周波数変換させる。すると、図１０に示すように、干渉信号ＢはLO周波数の変更量の２倍以上ずれる。制御部１５は、被試験信号Ａの周波数帯域に干渉信号が存在していないか判定し、存在していない場合、「２回目」で示している被試験信号Ａの周波数帯域幅の測定を行なわせる。
【００５５】
次に、制御部１５は、干渉信号Ｂに向かう側に図３で示したスペクトラム探索帯域ΔｆSだけLO周波数を変更させて周波数変換させる。すると、図１１に示すように、干渉信号ＢはLO周波数の変更量の２倍以上ずれる。制御部１５は、干渉信号Ｂが存在していた側の被試験信号Ａの端から、干渉信号Ｂが存在していた側のスペクトラム測定に必要な帯域の端までに干渉信号が存在していないか判定する。この場合、制御部１５は、測定対象周波数ｆUL＋被測定信号Ａの周波数帯域幅/2から測定対象周波数ｆUL＋スペクトラム探索帯域ΔｆSの範囲に干渉信号が存在していないか判定する。干渉信号が存在していない場合、制御部１５は、「３回目」で示している干渉信号Ｂが存在していた側の被試験信号Ａの端から、干渉信号Ｂが存在していた側のスペクトラム測定に必要な帯域の端までの測定を行なわせる。
【００５６】
図１２に示すように、スペクトラム測定の場合の干渉信号Ｂが被測定信号Ａの周波数帯域を横断して存在してしまい、干渉を受けていない側が存在しない場合、制御部１５は、３回に分けて測定を行なう。
【００５７】
まず、制御部１５は、測定対象周波数ｆULを境界として周波数の高い側と低い側で干渉信号Ｂが干渉している部分が多い側（図では、周波数の高い側）とは反対側に図４で示したインバンド探索帯域ΔｆIだけLO周波数を変更させて周波数変換させる。すると、図１３に示すように、干渉信号ＢはLO周波数の変更量の２倍以上ずれる。制御部１５は、被試験信号Ａの周波数帯域に干渉信号が存在していないか判定し、存在していない場合、「１回目」で示している被試験信号Ａの周波数帯域幅の測定を行なわせる。
【００５８】
次に、制御部１５は、干渉信号Ｂが干渉している部分が多い側に図３で示したスペクトラム探索帯域ΔｆSだけLO周波数を変更させて周波数変換させる。すると、図１４に示すように、干渉信号ＢはLO周波数の変更量の２倍以上ずれる。制御部１５は、干渉信号Ｂが干渉している部分が多い側の被試験信号Ａの端から、干渉信号Ｂが干渉している部分が多い側のスペクトラム測定に必要な帯域の端までに干渉信号が存在していないか判定する。この場合、制御部１５は、測定対象周波数ｆUL＋被測定信号Ａの周波数帯域幅/2から測定対象周波数ｆUL＋スペクトラム探索帯域ΔｆSの範囲に干渉信号が存在していないか判定する。干渉信号が存在していない場合、制御部１５は、「２回目」で示している干渉信号Ｂが干渉している部分が多い側の被試験信号Ａの端から、干渉信号Ｂが干渉している部分が多い側のスペクトラム測定に必要な帯域の端までの測定を行なわせる。
【００５９】
次に、制御部１５は、干渉信号Ｂが干渉している部分が多い側とは反対側に図３で示したスペクトラム探索帯域ΔｆSだけLO周波数を変更させて周波数変換させる。すると、図１５に示すように、干渉信号ＢはLO周波数の変更量の２倍以上ずれる。制御部１５は、干渉信号Ｂが干渉している部分が多い側とは反対側の被試験信号Ａの端から、干渉信号Ｂが干渉している部分が多い側とは反対側のスペクトラム測定に必要な帯域の端までに干渉信号が存在していないか判定する。この場合、制御部１５は、測定対象周波数ｆUL−スペクトラム探索帯域ΔｆSから測定対象周波数ｆUL−被測定信号Ａの周波数帯域幅/2の範囲に干渉信号が存在していないか判定する。干渉信号が存在していない場合、制御部１５は、「３回目」で示している干渉信号Ｂが干渉している部分が多い側とは反対側の被試験信号Ａの端から、干渉信号Ｂが干渉している部分が多い側とは反対側のスペクトラム測定に必要な帯域の端までの測定を行なわせる。
【００６０】
図１６は、インバンド測定の場合の周波数分割の例を示す図である。図１６に示すように、測定対象周波数ｆULを境界として周波数の高い側と低い側で周波数の高い側に干渉信号Ｂが干渉している。
【００６１】
制御部１５は、測定対象周波数ｆULを境界として周波数の高い側と低い側で干渉信号Ｂが干渉している部分が多い側（図では、周波数の高い側）とは反対側に図４で示したインバンド探索帯域ΔｆIだけLO周波数を変更させて周波数変換させる。すると、図１７に示すように、干渉信号ＢはLO周波数の変更量の２倍以上ずれる。制御部１５は、被試験信号Ａの周波数帯域に干渉信号が存在していないか判定し、存在していない場合、被試験信号Ａの周波数帯域幅の測定を行なわせる。
【００６２】
このように、上述の実施形態では、測定対象のアップリンク信号以外のアップリンク信号やダウンリンク信号の周波数や周波数帯域に基づいて測定対象のアップリンク信号の測定に必要な測定帯域に対する干渉が発生するか否かを判定し、LO周波数や中間周波数を変えても測定帯域に対して干渉が避けられない場合、LO周波数を変更して信号の干渉状態を変化させて測定を行なう。
【００６３】
これにより、測定対象のアップリンク信号以外のアップリンクやダウンリンクの信号による干渉があっても測定対象のアプリンク信号を測定することができる。
【００６４】
また、測定に必要な周波数帯域幅が測定対象のアップリンク信号の周波数帯域幅より広いスペクトラム測定の場合、干渉信号が測定対象のアップリンク信号の周波数帯域幅に存在しない場合は、測定帯域を２分割して測定を行ない、干渉信号が前記測定対象のアップリンク信号の周波数帯域幅に存在する場合は、前記測定帯域を３分割して測定を行なう。
【００６５】
これにより、測定帯域の分割数を少なく抑えることができ、測定処理の負荷を抑えることができる。
【００６６】
また、干渉信号の周波数帯域幅と、測定対象のアップリンク信号の周波数帯域幅と、測定に必要な周波数帯域幅に基づいて、LO周波数の変更量を算出している。
【００６７】
これにより、干渉信号を除去しつつ測定に必要な周波数帯域幅を測定可能なLO周波数の変更量が算出され、干渉信号を除去しつつ測定に必要な周波数帯域幅を測定することができる。
【００６８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６９】
１  移動端末試験装置
２  移動体通信端末
１０  無線信号処理部
１１  無線ハードウェア制御部
１３  無線信号測定部
１５  制御部
【図１】
2018201068.tif 000003
【図２】
2018201068.tif 000004
【図３】
2018201068.tif 000005
【図４】
2018201068.tif 000006
【図５】
2018201068.tif 000007
【図６】
2018201068.tif 000008
【図７】
2018201068.tif 000009
【図８】
2018201068.tif 000010
【図９】
2018201068.tif 000011
【図１０】
2018201068.tif 000012
【図１１】
2018201068.tif 000013
【図１２】
2018201068.tif 000014
【図１３】
2018201068.tif 000015
【図１４】
2018201068.tif 000016
【図１５】
2018201068.tif 000017
【図１６】
2018201068.tif 000018
【図１７】
2018201068.tif 000019